【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
撮像手段の撮像位置を変更するための旋回手段であって、３６０度の旋回が可能な旋回手段と、
前記撮像手段の撮像位置に関する撮像位置情報を複数、設定する設定手段と、
前記設定された複数の撮像位置情報のうち、第１の撮像位置情報に対応する第１の撮像位置から、第２の撮像位置情報に対応する第２の撮像位置に、前記撮像手段の撮像位置を移動させる場合の前記旋回手段の旋回方向の指定に応じた指定情報を取得する取得手段と、
前記第１の撮像位置情報に対応する第１の撮像位置から、前記第２の撮像位置情報に対応する第２の撮像位置に、前記取得された指定情報に応じた旋回方向で前記旋回手段を旋回させる制御手段と
を有することを特徴とするカメラサーバ。
【請求項２】
前記取得手段は、ユーザにより右方向又は左方向で指定された旋回方向に応じた指定情報を取得することを特徴とする請求項１に記載のカメラサーバ。
【請求項３】
前記取得手段は、前記旋回手段の旋回量が大きい旋回方向と、旋回量が小さい旋回方向とのうち、いずれの旋回方向にするかを指定するための指定情報を取得し、
前記制御手段は、前記指定情報と、前記第１及び第２の撮像位置とに応じた旋回方向で、前記旋回手段を旋回させることを特徴とする請求項１に記載のカメラサーバ。
【請求項４】
前記取得手段は、前記第１の撮像位置から前記第２の撮像位置への移動中に前記旋回手段に所定の旋回位置を通過させることを要するか否かを指定するための指定情報を取得し、
前記制御手段は、前記指定情報と、前記第１及び第２の撮像位置とに応じた旋回方向で、前記旋回手段を旋回させることを特徴とする請求項１に記載のカメラサーバ。
【請求項５】
前記設定された複数の撮像位置情報に対応する撮像位置をそれぞれ撮像させるために前記旋回手段を旋回させた場合の旋回量に応じて、前記撮像手段による撮像画像の送信先に警告を通知する通知手段を更に有することを特徴とする請求項１に記載のカメラサーバ。
【請求項６】
前記取得手段は、前記複数の撮像位置情報に応じた前記旋回手段の旋回後に前記旋回手段を所定の旋回位置にする制御をした場合における、前記旋回手段の旋回位置と前記所定の旋回位置とのずれ量を前記指定情報として取得し、
前記制御手段は、前記取得されたずれ量に応じて、前記第１の撮像位置から前記第２の撮像位置への旋回量が小さい旋回方向で、前記旋回手段を旋回させることを特徴とする請求項１に記載のカメラサーバ。
【請求項７】
前記複数の撮像位置情報に応じた前記旋回手段の旋回後に前記旋回手段を所定の旋回位置にする制御をした場合における、前記旋回手段の旋回位置と前記所定の旋回位置とのずれ量に応じて、前記撮像手段による撮像画像の送信先に警告を通知する通知手段を更に有することを特徴とする請求項１に記載のカメラサーバ。
【請求項８】
前記第１の撮像位置から前記第２の撮像位置に移動させる場合の前記旋回手段の周回数を指定する指定手段を更に有し、
前記制御手段は、前記第１の撮像位置から、前記取得手段により取得された指定情報に応じた旋回方向で、前記指定に応じた周回数だけ周回させた後に、前記第２の撮像位置に移動させることを特徴とする請求項１に記載のカメラサーバ。
【請求項９】
撮像手段の撮像位置を変更するための旋回手段であって、３６０度の旋回が可能な旋回手段を有するカメラサーバの制御方法であって、
前記撮像手段の撮像位置に関する撮像位置情報を複数、設定する設定工程と、
前記設定された複数の撮像位置情報のうち、第１の撮像位置情報に対応する第１の撮像位置から、第２の撮像位置情報に対応する第２の撮像位置に、前記撮像手段の撮像位置を移動させる場合の前記旋回手段の旋回方向の指定に応じた指定情報を取得する取得工程と、
前記第１の撮像位置情報に対応する第１の撮像位置から、前記第２の撮像位置情報に対応する第２の撮像位置に、前記取得された指定情報に応じた旋回方向で前記旋回手段を旋回させる制御工程と
を有することを特徴とするカメラサーバの制御方法。
【請求項１０】
撮像手段の撮像位置を変更するための旋回手段であって、３６０度の旋回が可能な旋回手段を有するコンピュータに、
前記撮像手段の撮像位置に関する撮像位置情報を複数、設定する設定手順と、
前記設定された複数の撮像位置情報のうち、第１の撮像位置情報に対応する第１の撮像位置から、第２の撮像位置情報に対応する第２の撮像位置に、前記撮像手段の撮像位置を移動させる場合の前記旋回手段の旋回方向の指定に応じた指定情報を取得する取得手順と、
前記第１の撮像位置情報に対応する第１の撮像位置から、前記第２の撮像位置情報に対応する第２の撮像位置に、前記取得された指定情報に応じた旋回方向で前記旋回手段を旋回させる制御手順と
を実行させることを特徴とするプログラム。
【請求項１１】
撮像手段の撮像位置を変更するための旋回手段であって、３６０度の旋回が可能な旋回手段を有するカメラサーバと、当該カメラサーバから前記撮像手段による撮像画像を受信して表示させるクライアントとが接続されたカメラシステムであって、
前記撮像手段の撮像位置に関する撮像位置情報を複数、設定する設定手段と、
前記設定された複数の撮像位置情報のうち、第１の撮像位置情報に対応する第１の撮像位置から、第２の撮像位置情報に対応する第２の撮像位置に、前記撮像手段の撮像位置を移動させる場合の前記旋回手段の旋回方向の指定に応じた指定情報を取得する取得手段と、
前記第１の撮像位置情報に対応する第１の撮像位置から、前記第２の撮像位置情報に対応する第２の撮像位置に、前記取得された指定情報に応じた旋回方向で前記旋回手段を旋回させる制御手段と
を有することを特徴とするカメラシステム。
【請求項１２】
前記クライアントは、前記旋回手段を旋回させて前記撮像手段により撮像された複数の撮像画像に応じたパノラマ画像を含むユーザインターフェースであって、前記撮像位置情報と前記旋回方向を指定するためのユーザインターフェースを表示させる表示制御手段を有することを特徴とする請求項１１に記載のカメラシステム。
【手続補正２】
【補正対象書類名】明細書
【補正対象項目名】発明の名称
【補正方法】変更
【補正の内容】
【発明の名称】カメラサーバ及びその制御方法、プログラム、並びに、カメラシステム
【手続補正３】
【補正対象書類名】明細書
【補正対象項目名】０００１
【補正方法】変更
【補正の内容】
【０００１】
本発明は、カメラサーバ及びその制御方法、プログラム、並びに、カメラシステムに関するものである。
【手続補正４】
【補正対象書類名】明細書
【補正対象項目名】０００８
【補正方法】変更
【補正の内容】
【０００８】
本発明のカメラサーバは、撮像手段の撮像位置を変更するための旋回手段であって、３６０度の旋回が可能な旋回手段と、前記撮像手段の撮像位置に関する撮像位置情報を複数、設定する設定手段と、前記設定された複数の撮像位置情報のうち、第１の撮像位置情報に対応する第１の撮像位置から、第２の撮像位置情報に対応する第２の撮像位置に、前記撮像手段の撮像位置を移動させる場合の前記旋回手段の旋回方向の指定に応じた指定情報を取得する取得手段と、前記第１の撮像位置情報に対応する第１の撮像位置から、前記第２の撮像位置情報に対応する第２の撮像位置に、前記取得された指定情報に応じた旋回方向で前記旋回手段を旋回させる制御手段とを有する。
本発明のカメラサーバの制御方法は、撮像手段の撮像位置を変更するための旋回手段であって、３６０度の旋回が可能な旋回手段を有するカメラサーバの制御方法であって、前記撮像手段の撮像位置に関する撮像位置情報を複数、設定する設定工程と、前記設定された複数の撮像位置情報のうち、第１の撮像位置情報に対応する第１の撮像位置から、第２の撮像位置情報に対応する第２の撮像位置に、前記撮像手段の撮像位置を移動させる場合の前記旋回手段の旋回方向の指定に応じた指定情報を取得する取得工程と、前記第１の撮像位置情報に対応する第１の撮像位置から、前記第２の撮像位置情報に対応する第２の撮像位置に、前記取得された指定情報に応じた旋回方向で前記旋回手段を旋回させる制御工程とを有する。
本発明のプログラムは、撮像手段の撮像位置を変更するための旋回手段であって、３６０度の旋回が可能な旋回手段を有するコンピュータに、前記撮像手段の撮像位置に関する撮像位置情報を複数、設定する設定手順と、前記設定された複数の撮像位置情報のうち、第１の撮像位置情報に対応する第１の撮像位置から、第２の撮像位置情報に対応する第２の撮像位置に、前記撮像手段の撮像位置を移動させる場合の前記旋回手段の旋回方向の指定に応じた指定情報を取得する取得手順と、前記第１の撮像位置情報に対応する第１の撮像位置から、前記第２の撮像位置情報に対応する第２の撮像位置に、前記取得された指定情報に応じた旋回方向で前記旋回手段を旋回させる制御手順とを実行させる。
本発明のカメラシステムは、撮像手段の撮像位置を変更するための旋回手段であって、３６０度の旋回が可能な旋回手段を有するカメラサーバと、当該カメラサーバから前記撮像手段による撮像画像を受信して表示させるクライアントとが接続されたカメラシステムであって、前記撮像手段の撮像位置に関する撮像位置情報を複数、設定する設定手段と、前記設定された複数の撮像位置情報のうち、第１の撮像位置情報に対応する第１の撮像位置から、第２の撮像位置情報に対応する第２の撮像位置に、前記撮像手段の撮像位置を移動させる場合の前記旋回手段の旋回方向の指定に応じた指定情報を取得する取得手段と、前記第１の撮像位置情報に対応する第１の撮像位置から、前記第２の撮像位置情報に対応する第２の撮像位置に、前記取得された指定情報に応じた旋回方向で前記旋回手段を旋回させる制御手段とを有する。
【手続補正５】
【補正対象書類名】明細書
【補正対象項目名】０００９
【補正方法】削除
【補正の内容】